(57)【要約】      （修正有）【課題】利用者による音響特性の調整を可能にする弦楽器を提供する。【解決手段】ギターの胴体には、内部の音響空間に連通する響孔（サウンドホール）５２および複数の調整孔５７が形成される。胴体には弦４０の一端が固定される。胴体に対して遮蔽部材６０を着脱することで、遮蔽部材６０で各調整孔５７を閉塞した状態と、遮蔽部材６０を取外して調整孔５７を開放した状態とを切替可能である。調整孔５７は表板５３、側板、または裏板に形成される。【選択図】図２
2015079085.tif 000002
【特許請求の範囲】
【請求項１】
内部の音響空間に連通する響孔および調整孔が形成された胴体と、
前記胴体に一端が固定された弦とを具備し、
前記調整孔を閉塞した状態と前記調整孔を開放した状態とを切替可能である
弦楽器。
【請求項２】
前記胴体に対して着脱可能な遮蔽部材を具備し、
前記遮蔽部材は、前記胴体に装着された状態で前記調整孔を閉塞する
請求項１の弦楽器。
【請求項３】
前記複数の遮蔽部材は、平面視で前記弦を挟んで相互に反対側に位置する第１遮蔽部材と第２遮蔽部材とを含む
請求項２の弦楽器。
【請求項４】
前記調整孔に対応する貫通孔が形成された遮蔽部材を具備し、
前記遮蔽部材は、当該遮蔽部材が前記調整孔を閉塞する第１位置と、前記貫通孔を介して前記調整孔が開放される第２位置との間で、前記胴体に対して相対的に移動可能である
請求項１の弦楽器。
【請求項５】
前記胴体は、
前記響孔および前記調整孔が形成され、前記弦が固定される表板と、
前記調整孔が形成され、前記表板に対向する裏板と、
前記表板と前記裏板とを各々の周縁にて相互に連結する側板とを含み、
前記遮蔽部材は、
前記貫通孔が形成され、前記表板に重なる第１部分と、
前記貫通孔が形成され、前記裏板に重なる第２部分とを含み、
前記第１部分が前記表板の調整孔を閉塞するとともに前記第２部分が前記裏板の調整孔を閉塞する前記第１位置と、前記第１部分の貫通孔を介して前記表板の調整孔が開放されるとともに前記第２部分の貫通孔を介して前記裏板の調整孔が開放される前記第２位置との間で、前記第１部分と前記第２部分とが連動して移動する
請求項４の弦楽器。
【発明の詳細な説明】
【技術分野】
【０００１】
本発明は、弦楽器の音響特性を調整する技術に関する。
【背景技術】
【０００２】
自然楽器の音響特性（例えば音色や音量）を調整するための技術が従来から提供されている。例えば特許文献１には、アコースティックギター等の弦楽器の音色を調整する技術が開示されている。具体的には、弦楽器の胴体の内壁面に固定される響棒（力木）に透孔を形成し、透孔の大きさや個数を適宜に変更することで弦楽器の音色が調整される。
【先行技術文献】
【特許文献】
【０００３】
【特許文献１】特開２００８−５２０５４号公報
【発明の概要】
【発明が解決しようとする課題】
【０００４】
利用者（演奏者）が意図する演奏表現や利用者の嗜好に応じて弦楽器の音響特性を調整したいという要望がある。特許文献１の技術では、目的の音色に応じた透孔が製造段階で響棒に形成されるから、弦楽器の音響特性を利用者が事後的に調整することは実質的に不可能である。以上の事情を考慮して、本発明は、利用者による弦楽器の音響特性の調整を可能にすることを目的とする。
【課題を解決するための手段】
【０００５】
以上の課題を解決するために、本発明の弦楽器は、内部の音響空間に連通する響孔および調整孔が形成された胴体と、胴体に一端が固定された弦とを具備し、調整孔を閉塞した状態と調整孔を開放した状態とを切替可能である。以上の構成では、胴体に形成された調整孔の閉塞および開放が切替可能であるから、利用者が弦楽器の音響特性（特に音量）を調整できるという利点がある。
【０００６】
本発明の好適な態様に係る弦楽器は、胴体に対して着脱可能な遮蔽部材を具備し、遮蔽部材は、胴体に装着された状態で調整孔を閉塞する。以上の態様では、胴体に対する遮蔽部材の着脱という簡便な作業で調整孔の閉塞および開放を切替えることが可能である。
【０００７】
本発明の好適な態様において、胴体には、複数の調整孔が形成され、胴体に対して着脱可能な複数の遮蔽部材を具備し、複数の遮蔽部材の各々は、胴体に装着された状態で１個以上の調整孔を閉塞する。以上の態様では、胴体に対する各遮蔽部材の着脱という簡便な作業で調整孔の閉塞および開放を切替えることができるほか、１個の遮蔽部材のみを装着可能な構成と比較して弦楽器の音響特性を多様に調整できるという利点がある。複数の遮蔽部材を利用する構成では、複数の遮蔽部材が、平面視で弦を挟んで相互に反対側に位置する第１遮蔽部材（例えば遮蔽部材６０B）と第２遮蔽部材（例えば遮蔽部材６０C）とを含む構成が好適である。以上の態様では、胴体から弦を取外すことなく第１遮蔽部材と第２遮蔽部材とを胴体に対して着脱できるという利点がある。胴体に対して遮蔽部材が着脱される構成の具体例は、例えば第１実施形態として後述される。
【０００８】
本発明の好適な態様に係る弦楽器は、調整孔に対応する貫通孔が形成された遮蔽部材を具備し、遮蔽部材は、当該遮蔽部材が調整孔を閉塞する第１位置と、貫通孔を介して調整孔が開放される第２位置との間で、胴体に対して相対的に移動可能である。以上の態様では、遮蔽部材の移動という簡便な作業で調整孔の閉塞および開放を切替えることが可能である。また、遮蔽部材を第１位置と第２位置との間で連続的に移動させることで、弦楽器の音響特性を連続的に調整できるという利点もある。
【０００９】
本発明の好適な態様において、胴体には、複数の調整孔が形成され、各調整孔に対応する貫通孔が形成された複数の遮蔽部材を具備し、複数の遮蔽部材の各々は、当該遮蔽部材が１個以上の調整孔を閉塞する第１位置と貫通孔を介して調整孔が開放される第２位置との間で、胴体に対して相互に独立に移動可能である。以上の態様では、各遮蔽部材の移動という簡便な作業で調整孔の閉塞および開放を切替えることが可能である。また、複数の遮蔽部材の各々が相互に独立に移動可能であるから、１個の遮蔽部材のみを設置した構成と比較して弦楽器の音響特性を多様に調整できるという利点がある。また、各遮蔽部材を第１位置と第２位置との間で連続的に移動させることで、弦楽器の音響特性を連続的に調整できるという利点もある。以上の態様の具体例は、例えば第２実施形態として後述される。
【００１０】
遮蔽部材が第１位置と第２位置との間で移動可能な構成の好適例において、胴体は、
響孔および調整孔が形成され、弦が固定される表板と、調整孔が形成され、表板に対向する裏板と、表板と裏板とを各々の周縁にて相互に連結する側板とを含み、遮蔽部材は、貫通孔が形成され、表板に重なる第１部分と、貫通孔が形成され、裏板に重なる第２部分とを含み、第１部分が表板の調整孔を閉塞するとともに第２部分が裏板の調整孔を閉塞する第１位置と、第１部分の貫通孔を介して表板の調整孔が開放されるとともに第２部分の貫通孔を介して裏板の調整孔が開放される第２位置との間で、第１部分と第２部分とが連動して移動する。以上の態様では、遮蔽部材の第１部分と第２部分とが連動して移動するから、弦楽器の音響特性の調整幅を充分に確保できるという利点がある。なお、以上の態様の具体例は、例えば第３実施形態として後述される。
【図面の簡単な説明】
【００１１】
【図１】本発明の第１実施形態に係るギターの外観図である。
【図２】ギターの胴体の正面図である。
【図３】ギターの胴体の背面図である。
【図４】胴体に各遮蔽部材を装着した各状態の説明図である。
【図５】遮蔽部材の有無を変化させた各場合の音量のグラフである。
【図６】遮蔽部材の有無を変化させた各場合の放射音の周波数特性である。
【図７】図６の拡大図である。
【図８】ギターの胴体に形成される各調整孔の説明図である。
【図９】第２実施形態に係るギターの外観図である。
【図１０】図９におけるＸ-Ｘ線の断面図である。
【図１１】第２実施形態における遮蔽部材の第１位置および第２位置の説明図である。
【図１２】第３実施形態に係るギターの遮蔽部材の説明図である。
【図１３】変形例に係るギターの側面図である。
【発明を実施するための形態】
【００１２】
＜第１実施形態＞
図１は、本発明の第１実施形態に係るギター（アコースティックギター）１００の外観図である。図１に例示される通り、ギター１００は、ヘッド１０とネック２０と胴体３０と複数の弦４０とを具備する弦楽器である。長尺状のネック２０の基端部が胴体３０に固定され、ネック２０の先端部にヘッド１０が固定される。ヘッド１０は、各弦４０の一方の端部が固定されるペグ１２を含んで構成される。胴体３０は、弦４０の振動を共鳴させる音響空間が内部に形成される中空の共鳴胴である。図１に例示される通り、胴体３０には複数の遮蔽部材６０が装着される。
【００１３】
図１に例示される通り、胴体３０は、表板５３と側板５４と裏板５５とを含んで構成される。表板５３と側板５４と裏板５５とは、木材を所定の形状に裁断した平板材である。例えば、表板５３はスプルース材から形成され、側板５４および裏板５５はローズウッド材から形成される。表板５３と裏板５５とは外形が概ね共通し、略一定の間隔をあけて相互に対向する。側板５４は、表板５３および裏板５５の外形に沿う形状に湾曲した帯状の板材であり、表板５３および裏板５５の各々の周縁を全周にわたり相互に連結して両者間の間隔を閉塞する。
【００１４】
表板５３の表面（裏板５５とは反対側の表面）にはブリッジ（駒）５１が固定される。各弦４０のうちヘッド１０のペグ１２に固定される端部とは反対側の端部がブリッジ５１に固定される。すなわち、胴体３０のブリッジ５１とヘッド１０のペグ１２とにわたり所定の張力をもって複数の弦４０が架設される。表板５３と側板５４と裏板５５とで包囲された空間（胴体３０の内部の空間）は、各弦４０の振動を共鳴させる音響空間として機能する。
【００１５】
図２は、胴体３０の正面図であり、図３は、胴体３０の背面図である。図２および図３では、胴体３０から各遮蔽部材６０を取外した状態が図示されている。図２に例示される通り、表板５３には、胴体３０の内部の音響空間に連通する響孔（サウンドホール）５２と複数の調整孔５７Aとが形成される。響孔５２は、ブリッジ５１とネック２０との間に位置する円形状の開口である。複数の調整孔５７Aの各々は、表板５３を貫通する円形状の貫通孔である。表板５３の全域にわたり複数の調整孔５７Aは略均等に分布する。
【００１６】
図３に例示される通り、裏板５５には複数の調整孔５７Bが形成される。複数の調整孔５７Bは、表板５３の調整孔５７Aと同様に、裏板５５を貫通する円形状の貫通孔であり、裏板５５の全域にわたり略均等に分布する。以上の説明から理解される通り、第１実施形態のギター１００の胴体３０には複数の調整孔５７（５７A，５７B）が形成される。
【００１７】
複数の遮蔽部材６０（６０A，６０B，６０C，６０D）の各々は、胴体３０に装着された状態で各調整孔５７を閉塞するシート状（フィルム状ないし膜状）の部材である。すなわち、各遮蔽部材６０が胴体３０に装着されることで各調整孔５７を介した空気の流通が遮断される。各遮蔽部材６０は、胴体３０に対して着脱可能である。例えば、各遮蔽部材６０は、反復的な貼着および剥離が可能な両面テープで胴体３０に装着される。以上の説明から理解される通り、第１実施形態のギター１００は、胴体３０の各調整孔５７（５７A，５７B）を閉塞した状態と各調整孔５７を開放した状態とを切替可能である。なお、各遮蔽部材６０を胴体３０に装着するための構成は任意である。例えば、遮蔽部材６０および胴体３０に設置された磁石で遮蔽部材６０を胴体３０に装着する構成や、例えば遮蔽部材６０および胴体３０の一方に形成された凹部（例えば溝部）に他方の凸部を嵌合することで遮蔽部材６０を胴体３０に装着する構成が採用される。
【００１８】
各遮蔽部材６０は、胴体３０に装着された状態で胴体３０の振動に殆ど影響しない材料で形成される。具体的には、ゴムやプラスチックや紙や不織布等の可撓性の部材（低剛性の材料）で各遮蔽部材６０が形成される。例えばゴムで形成された遮蔽部材６０の厚さは１ｍｍ程度に設定され、プラスチックで形成された遮蔽部材６０の厚さは０.２５ｍｍ程度に設定される。なお、相異なる材質の複数の遮蔽部材６０を胴体３０に装着することも可能である。
【００１９】
図２に例示される通り、遮蔽部材６０Aは、表板５３のうちブリッジ５１の側方および下方の領域を被覆する形状（当該領域に略相似な形状）に成形される。遮蔽部材６０Bは、表板５３のうちブリッジ５１の左上方の領域を被覆する平面形状に成形され、遮蔽部材６０Cは、表板５３のうちブリッジ５１の右上方の領域を被覆する平面形状に成形される。遮蔽部材６０Aと遮蔽部材６０Bと遮蔽部材６０Cとが表板５３に装着されることで、表板５３の全部の調整孔５７Aが閉塞される。図２から理解される通り、遮蔽部材６０Bと遮蔽部材６０Cとは、弦４０（ギター１００の中心線）を挟んで相互に反対側に位置する。すなわち、遮蔽部材６０は、平面視で弦４０の両側にわたり連続しない。したがって、弦４０が架設された状態を維持したまま（すなわち弦４０を取外すことなく）、遮蔽部材６０Bや遮蔽部材６０Cを胴体３０に対して着脱できるという利点がある。
【００２０】
他方、遮蔽部材６０Dは、図３に例示される通り、裏板５５の全域を被覆する形状（裏板５５に略相似な形状）に成形される。遮蔽部材６０Dが裏板５５に装着されることで、裏板５５の全部の調整孔５７Bが閉塞される。
【００２１】
以上に例示した複数の遮蔽部材６０が選択的に胴体３０に装着される。具体的には、図４に例示される通り、表板５３および裏板５５の双方に全部の遮蔽部材６０（６０A，６０B，６０C，６０D）を装着した状態（以下「両板閉塞」という）や、表板５３および裏板５５の何れにも遮蔽部材６０を装着しない状態（以下「両板開放」という）が構成され得る。また、裏板５５に遮蔽部材６０Dを装着して表板５３には遮蔽部材６０（６０A，６０B，６０C）を装着しない状態（以下「裏板閉塞」という）や、表板５３に遮蔽部材６０（６０A，６０B，６０C）を装着して裏板５５には遮蔽部材６０Dを装着しない状態（以下「表板閉塞」という）も構成され得る。表板５３には、遮蔽部材６０Aと遮蔽部材６０Bと遮蔽部材６０Cとが選択的に装着され得る。
【００２２】
図５は、各遮蔽部材６０の有無を相違させた複数の場合におけるギター１００の放射音のうち１ｋＨｚ以下の帯域成分の音量（所定の基準値に対する相対値）のグラフである。両板閉塞と裏板閉塞と表板閉塞（遮蔽部材６０Aと遮蔽部材６０Bと遮蔽部材６０Cとを装着した状態）と両板開放との各状態について放射音の音量が図示されている。
【００２３】
胴体３０に対する遮蔽部材６０の装着の有無（遮蔽部材６０で閉塞される調整孔５７の個数）に応じてギター１００の音量が変化することが図５から確認できる。具体的には、第１に、胴体３０に形成された複数の調整孔５７の一部または全部を開放した状態（裏板閉塞，表板閉塞，両板開放）では、両板閉塞の状態と比較して音量は低下する。第２に、複数の調整孔５７の全部を開放した両板開放の状態では、複数の調整孔５７のうちの一部を開放した状態（裏板閉塞，表板閉塞）と比較して音量が低下する。第３に、表板５３の各調整孔５７Aを閉塞（裏板５５の各調整孔５７Bを開放）した表板閉塞の状態では、裏板５５の各調整孔５７Bを閉塞（表板５３の各調整孔５７Aを開放）した裏板閉塞の状態と比較して音量が低下する。
【００２４】
図６は、胴体３０の複数の調整孔５７の一部または全部を開放した複数の状態（裏板閉塞，表板閉塞，両板開放）におけるギター１００の放射音の周波数特性であり、図７は、図６のうち１０Ｈｚから１ｋＨｚまでの範囲の拡大図である。遮蔽部材６０で閉塞される調整孔５７の位置や個数に応じて１００Ｈｚ付近の周波数成分の音圧が変動することが図６および図７から確認できる。１００Ｈｚ付近の周波数成分は高音域の周波数成分と比較して放射効率が高く、胴体３０の前面側に放射され易い（受聴者に到達し易い）という傾向がある。したがって、胴体３０の複数の調整孔５７の閉塞／開放を遮蔽部材６０の着脱により適宜に切替えることで、胴体３０から前面側に対する放射音の音量を大きく変動させることが可能である。
【００２５】
調整孔５７が形成されない通常のギター１００では、響孔５２内の空気の振動に起因したヘルムホルツ共鳴により１００Ｈｚ付近の周波数成分が増幅されて放射される。第１実施形態のギター１００において各調整孔５７が開放された状態では、胴体３０の内外にわたる空気の流通が響孔５２に加えて各調整孔５７でも発生するから、結果的にヘルムホルツ共鳴の効果が低減される。調整孔５７の閉塞／開放に応じて１００Ｈｚ付近の周波数成分の音圧が変動するのは、以上のように調整孔５７に起因してヘルムホルツ共鳴の効果が低減される結果であると推察される。
【００２６】
また、表板５３が振動すると、表板５３の前面側に音が放射されるとともに、表板５３の背面側（裏板５５側）に前面側とは逆位相の音が放射される。裏板５５の調整孔５７Bが閉塞された状態（裏板閉塞）では、表板５３から背面側に放射された音は裏板５５で遮蔽される。他方、裏板５５の調整孔５７Bが開放された表板閉塞または両板開放の状態では、表板５３から背面側に放射された逆位相の音が裏板５５の調整孔５７から外部に伝播して前面側に回折し、表板５３から前面側に放射された音を打消すように作用する。図５を参照して説明したように表板閉塞の状態で裏板閉塞の状態と比較して音量が低下するのは、表板閉塞または両板開放の状態では、表板５３から背面側に対する放射音と前面側に対する放射音とが逆位相で相互に相殺する結果であると推察される。
【００２７】
以上に説明した通り、第１実施形態では、胴体３０に形成された各調整孔５７の閉塞／開放が切替えられるから、利用者がギター１００の音量を調整できるという利点がある。第１実施形態では特に、遮蔽部材６０の着脱という簡便な作業で各調整孔５７の閉塞／開放を切替えることが可能である。また、複数の遮蔽部材６０の各々が胴体３０に対して別個に着脱されるから、例えば１個の遮蔽部材６０のみが胴体３０に着脱される構成と比較して、ギター１００の音量を多様に調整できるという利点もある。更に、ギター１００の胴体３０にシート状の遮蔽部材６０が装着されるから、既存のギターと同等の演奏感が維持されるという利点がある。
【００２８】
図８は、各調整孔５７（５７A，５７B）の拡大図である。図８に例示される通り、Ｘ方向（例えばギター１００の横方向）に等間隔に配列された複数の調整孔５７の列Ｇが、Ｘ方向に交差するＹ方向（例えばギター１００の中心軸の方向）に所定の間隔をあけて並列する。Ｙ方向に隣合う各列Ｇでは、各調整孔５７のＸ方向の位置が、各調整孔５７のピッチｐ（相互に隣合う２個の調整孔５７の中心間の距離）の半分だけ相違する。図８に破線で図示される通り、相互に隣合う３個の調整孔５７は、正三角形の各頂点を中心とする位置に形成される。以上の構成によれば、Ｘ方向に延在する複数の直線とＹ方向に延在する複数の直線との各交点（格子点）に調整孔５７を形成する構成と比較して、表板５３や裏板５５に多数の調整孔５７を高密度に形成できるという利点がある。ただし、各格子点に調整孔５７を形成することも可能である。
【００２９】
ところで、表板５３や裏板５５の板厚と比較して各調整孔５７の直径ｄが極端に小さいと、各調整孔５７の閉塞／開放に応じた音量の調整という前述の効果が充分に実現されない可能性がある。以上の傾向を考慮すると、表板５３の調整孔５７Aの直径ｄを表板５３の板厚の半分以上に設定した構成や、裏板５５の調整孔５７Bの直径ｄを裏板５５の板厚の半分以上に設定した構成が好適である。例えば表板５３および裏板５５の板厚が３ｍｍである場合、調整孔５７（５７A，５７B）の直径ｄは１.５ｍｍ以上に設定される。他方、各調整孔５７の直径ｄが極端に大きいと、調整孔５７の形成に起因してギター１００の音色が極端に変動する可能性（不自然な音色になる可能性）がある。以上の傾向を考慮すると、各調整孔５７の直径ｄは響孔５２の直径以下に設定され、各調整孔５７の直径ｄを響孔５２の直径の半分以下に設定した構成が特に好適である。
【００３０】
また、各調整孔５７のピッチｐが極端に小さいと表板５３や裏板５５の機械的な強度を充分に維持できない可能性がある。したがって、各調整孔５７のピッチｐを調整孔５７の直径ｄの１.５倍以上に設定した構成が好適である。また、表板５３の表面積に対する各調整孔５７Aの合計面積の割合（開口率）や、裏板５５の表面積に対する各調整孔５７Bの合計面積の割合は、例えば図８の例示の態様で各調整孔５７を配列した構成では４０％以下程度に設定され、Ｘ方向およびＹ方向の各格子点に各調整孔５７を配列した構成では３５％以下程度に設定される。
【００３１】
＜第２実施形態＞
本発明の第２実施形態を説明する。なお、以下に例示する各形態において作用や機能が第１実施形態と同様である要素については、第１実施形態の説明で参照した符号を流用して各々の詳細な説明を適宜に省略する。
【００３２】
図９は、第２実施形態におけるギター１００の正面図であり、図１０は、図９におけるＸ-Ｘ線の断面図である。図１０に例示される通り、第２実施形態のギター１００の表板５３は、略同形状に成形された第１板５３１と第２板５３２とを含んで構成される。第１板５３１と第２板５３２とは、相互に平行な状態で間隔をあけて対向する。第１板５３１および第２板５３２の各々には、第１実施形態の表板５３と同様に、円形状の響孔５２が形成されるとともに複数の調整孔５７Aが全域にわたり略均等に形成される。第１板５３１の各調整孔５７Aと第２板５３２の各調整孔５７Aとは平面視で相互に合致する。
【００３３】
第２実施形態の遮蔽部材６０（６０A，６０B，６０C）は、第１板５３１と第２板５３２との間に介挿されたシート状の部材である。遮蔽部材６０には、第１板５３１および第２板５３２の各々の調整孔５７Aに対応する複数の貫通孔６２が全域にわたり略均等に形成される。また、図９および図１０に例示される通り、各遮蔽部材６０の周縁には、利用者が手指で保持可能な操作部６４が形成される。利用者は、操作部６４を保持した状態で手指を移動させることで、遮蔽部材６０を胴体３０（表板５３）に対して相対的に移動させることが可能である。
【００３４】
具体的には、図１１に例示される通り、遮蔽部材６０（図１１の例示では遮蔽部材６０A）は第１位置と第２位置との間で移動可能である。遮蔽部材６０が第１位置にある状態では、第１板５３１および第２板５３２の各々の調整孔５７Aが遮蔽部材６０により閉塞される。すなわち、調整孔５７Aと遮蔽部材６０の貫通孔６２とは平面視で相互に重複しない。他方、遮蔽部材６０が第２位置にある状態では、第１板５３１および第２板５３２の各々の調整孔５７Aと遮蔽部材６０の貫通孔６２とが平面視で完全に合致する。すなわち、第１板５３１および第２板５３２の各調整孔５７Aは遮蔽部材６０の貫通孔６２を介して開放される。
【００３５】
遮蔽部材６０は、第１位置と第２位置との間で連続的に移動する。遮蔽部材６０が第１位値と第２位置との途中に位置する状態では、図１０から理解される通り、第１板５３１および第２板５３２の各々の調整孔５７Aと遮蔽部材６０の貫通孔６２とが平面視で部分的に重複する。すなわち、各調整孔５７Aは遮蔽部材６０により部分的に閉塞される。以上の説明から理解される通り、遮蔽部材６０を第１位置から第２位置まで連続的に移動させる過程では、各調整孔５７のうち開放される部分（平面視で貫通孔６２に重複する部分）の面積が連続的に増加する。したがって、第２実施形態によれば、遮蔽部材６０を移動させることでギター１００の音量を連続的に調整することが可能である。
【００３６】
なお、図１０および図１１では遮蔽部材６０Aに便宜的に着目したが、遮蔽部材６０Bおよび遮蔽部材６０Cの各々についても同様に、表板５３の各調整孔５７Aを閉塞する第１位置と、各調整孔５７Aが貫通孔６２を介して開放される第２位置との間で連続的に移動可能である。また、以上の説明では表板５３を例示したが、裏板５５に対応する遮蔽部材６０Dについても同様の構成が採用される。以上の説明から理解される通り、第２実施形態では、各調整孔５７（５７A，５７B）を閉塞する第１位置と、各調整孔５７が貫通孔６２を介して開放される第２位置との間で、複数の遮蔽部材６０の各々が相互に独立に胴体３０に対して移動可能である。したがって、例えば１個の遮蔽部材６０のみが設置された構成と比較して、ギター１００の音量を多様に調整できるという利点がある。
【００３７】
＜第３実施形態＞
図１２は、第３実施形態におけるギター１００の断面図である。図１２に例示される通り、第３実施形態の遮蔽部材６０は、表板５３に対応する第１部分６６１と裏板５５に対応する第２部分６６２とを相互に連結した形状の可撓性の部材であり、胴体３０の内壁面に沿う形状に変形した状態で胴体３０の内部に配置される。第１部分６６１は、表板５３のうち裏板５５との対向面を被覆し、第２部分６６２は、裏板５５のうち表板５３との対向面を被覆する。第１実施形態と同様に、表板５３には複数の調整孔５７Aが形成され、裏板５５には複数の調整孔５７Bが形成される。
【００３８】
第１部分６６１には、表板５３の各調整孔５７Aに対応する複数の貫通孔６２が全域にわたり略均等に形成され、第２部分６６２には、裏板５５の各調整孔５７Bに対応する複数の貫通孔６２が全域にわたり略均等に形成される。第２実施形態と同様に、利用者は、遮蔽部材６０の周縁に形成された操作部（図示略）を利用して遮蔽部材６０を胴体３０に対して相対的に移動させることが可能である。第１部分６６１と第２部分６６２とは相互に連結されるから、第１部分６６１と第２部分６６２とは相互に連動して逆方向に移動する。なお、図１２では１個の遮蔽部材６０を便宜的に図示したが、実際には複数の遮蔽部材６０が設置されて各々が相互に独立に移動可能である。
【００３９】
遮蔽部材６０は、第１位置と第２位置との間で連続的に移動する。遮蔽部材６０が第１位置にある状態では、図１２に例示される通り、表板５３の各調整孔５７Aが遮蔽部材６０の第１部分６６１で閉塞されるとともに裏板５５の各調整孔５７Bが遮蔽部材６０の第２部分６６２で閉塞される。すなわち、胴体３０の調整孔５７と遮蔽部材６０の貫通孔６２とは相互に重複しない。他方、遮蔽部材６０が第２位置にある状態では、図１２に例示される通り、表板５３の各調整孔５７Aが遮蔽部材６０の第１部分６６１の貫通孔６２を介して開放されるとともに、裏板５５の各調整孔５７Bが遮蔽部材６０の第２部分６６２の貫通孔６２を介して開放される。すなわち、胴体３０の調整孔５７と遮蔽部材６０の貫通孔６２とが合致する。また、遮蔽部材６０が第１位置と第２位置との途中に位置する状態では、表板５３の各調整孔５７Aと第１部分６６１の貫通孔６２とが部分的に重複するとともに、裏板５５の各調整孔５７Bと第２部分６６２の貫通孔６２とが部分的に重複する。
【００４０】
以上の説明から理解される通り、遮蔽部材６０を第１位置から第２位置まで移動させることで、各調整孔５７のうち開放される部分の面積が連続的に増加する。したがって、第２実施形態と同様に、第３実施形態においてもギター１００の音量を連続的に調整することが可能である。また、第３実施形態では、第１部分６６１と第２部分６６２とが連動して移動するから、遮蔽部材６０の移動により音量を大きく変動させることが可能である。
【００４１】
＜変形例＞
前述の形態は多様に変形され得る。具体的な変形の態様を以下に例示する。以下の例示から任意に選択された２以上の態様は適宜に併合され得る。
【００４２】
（１）胴体３０に形成される各調整孔５７の位置や分布は任意である。前述の各形態では表板５３や裏板５５に調整孔５７を形成した構成を例示したが、図１３に例示されるように側板５４に調整孔５７を形成した構成や、表板５３および裏板５５の一方のみに調整孔５７を形成した構成も採用され得る。また、前述の各形態では複数の調整孔５７を表板５３や裏板５５の全域にわたり略均等に形成したが、胴体３０の特定の領域に複数の調整孔５７を局所的に形成することも可能である。ただし、調整孔５７が集中する箇所では胴体３０の機械的な強度が低下するから、胴体３０の機械的な強度の維持という観点からは、表板５３や裏板５５の全域にわたり略均等に複数の調整孔５７が分布する構成が好適である。もっとも、胴体３０に形成される調整孔５７の個数は任意であり、例えば胴体３０に調整孔５７を１個だけ形成することも可能である。また、前述の各形態では、表板５３の調整孔５７Aと裏板５５の調整孔５７Bとを共通の条件で形成したが、調整孔５７の形成条件（直径ｄやピッチｐ）を表板５３と裏板５５とで相違させることも可能である。また、各調整孔５７の直径ｄやピッチｐを胴体３０の表面内で変化させる構成も採用され得る。
【００４３】
（２）前述の各形態では複数の遮蔽部材６０で各調整孔５７を閉塞する構成を例示したが、１個の遮蔽部材６０を胴体３０に装着可能な構成（第１実施形態）や、１個の遮蔽部材６０を胴体３０に対して相対的に移動可能な構成（第２実施形態，第３実施形態）も採用され得る。
【００４４】
（３）第２実施形態では、相互に対向する第１板５３１と第２板５３２との間に遮蔽部材６０を保持する構成を例示したが、遮蔽部材６０を保持する別個の仕組を採用した構成では、第２板５３２が省略され得る。
【００４５】
（４）前述の各形態では、ギター１００を例示したが、本発明を適用可能な弦楽器はギター１００に限定されない。例えば、バイオリン等の他の弦楽器にも本発明を適用することが可能である。
【符号の説明】
【００４６】
１００……ギター、１０……ヘッド、１２……ペグ、２０……ネック、３０……胴体、４０……弦、５１……ブリッジ、５２……響孔、５３……表板、５３１……第１板、５３２……第２板、５４……側板、５５……裏板、５７（５７A，５７B）……調整孔、６０（６０A，６０B，６０C，６０D）……遮蔽部材、６２……貫通孔、６４……操作部、６６１……第１部分、６６２……第２部分。
【図１】
2015079085.tif 000003
【図２】
2015079085.tif 000004
【図３】
2015079085.tif 000005
【図４】
2015079085.tif 000006
【図５】
2015079085.tif 000007
【図６】
2015079085.tif 000008
【図７】
2015079085.tif 000009
【図８】
2015079085.tif 000010
【図９】
2015079085.tif 000011
【図１０】
2015079085.tif 000012
【図１１】
2015079085.tif 000013
【図１２】
2015079085.tif 000014
【図１３】
2015079085.tif 000015